(57)【特許請求の範囲】
【請求項１】
下皿の皿部に形成された球抜き孔を開閉する開閉板と、
前記開閉板に対し常に前記球抜き孔を閉鎖する方向の力を作用する付勢手段と、
前記付勢手段の付勢力に抗して外部から押圧操作される操作部材と、
前記操作部材に連動する開閉板駆動機構であって、前記操作部材に対する操作量に応じた移動量だけ前記開閉板を移動させる開閉板駆動機構と、
前記操作部材が外部から押圧操作されたときのみ作動するロック手段と、を備え、
前記ロック手段は、前記操作部材における前記付勢手段に近い側の部位に設けられた係止部と、下皿のカバー体に前記係止部と係合可能に設けられた被係止部とによって構成され、
前記開閉板が前記球抜き孔を閉鎖している状態で、前記操作部材における前記付勢手段から遠い側の部位が押圧操作されたとき、前記係止部が前記付勢手段の付勢力により前記被係止部に係止され、前記球抜き孔の開放状態を維持するよう前記開閉板の位置が固定され、
また、前記開閉板が前記球抜き孔を開放している状態で、前記操作部材における前記付勢手段に近い側の部位もしくは中央部が押圧操作されたとき、前記係止部が前記被係止部から離れて係止状態が解除され、前記開閉板により前記球抜き孔が閉鎖される
ことを特徴とする下皿の球抜き孔開閉装置。
【請求項２】
前記開閉板駆動機構は、前記操作部材に対する押圧操作の方向と直交する方向に前記開閉板を移動させることを特徴とする請求項１記載の下皿の球抜き孔開閉装置。
【発明の詳細な説明】
【０００１】
【発明の属する技術分野】
本発明は、パチンコ遊技機の前面下部に設けられた下皿の球抜き孔開閉装置に関する。
【０００２】
【従来の技術】
周知のように、パチンコ遊技機の前面下部には下皿が設けられており、この下皿の皿部に大当たり時の賞球など遊技球が放出される。この皿部には開閉板によって開閉される球抜き孔が形成されており、通常はこの球抜き孔が開閉板によって閉鎖状態に保たれ、皿部に放出されてきた遊技球は皿部に貯められる。そして、遊技者が皿部に貯められた遊技球を取り出したいときなどには、遊技者が操作レバーや操作ボタンを操作して開閉板を移動させ球抜き孔を開放することによって、皿部に溜っている賞球など遊技球を景品箱などに排出することができる。
【０００３】
従来から、下皿の球抜き孔を開閉する機構としては、遊技者が操作部材を親指等で操作している間、その操作量に応じた移動量だけ開閉板が移動し、球抜き孔の開度を連続的に変化できるよう構成したタイプと、遊技者が操作部材を操作した後操作部材から親指等を離しても、開閉板が球抜き孔を開放状態に維持する位置に固定されるよう構成したタイプの二種類のタイプが知られている。
【０００４】
【発明が解決しようとする課題】
しかしながら、従来の下皿の球抜き孔開閉装置は、上記二種類のタイプのいずれか一方に限定されていたため、遊技者が必要に応じて選択できる余地は無かった。
【０００５】
本発明は、上記の点にかんがみなされたものであり、遊技者によって、球抜き孔の開度を連続的に変化できるタイプと、球抜き孔を開放状態に維持するタイプのいずれかのタイプを選択することができる下皿の球抜き孔開閉装置を提供することを主な目的とする。
【０００６】
【課題を解決するための手段】
本発明による下皿の球抜き孔開閉装置は、下皿の皿部に形成された球抜き孔を開閉する開閉板と、前記開閉板に対し常に前記球抜き孔を閉鎖する方向の力を作用する付勢手段と、前記付勢手段の付勢力に抗して外部から押圧操作される操作部材と、前記操作部材に連動する開閉板駆動機構であって、前記操作部材に対する操作量に応じた移動量だけ前記開閉板を移動させる開閉板駆動機構と、前記操作部材が外部から押圧操作されたときのみ作動するロック手段と、を備え、前記ロック手段は、前記操作部材における前記付勢手段に近い側の部位に設けられた係止部と、下皿のカバー体に前記係止部と係合可能に設けられた被係止部とによって構成され、前記開閉板が前記球抜き孔を閉鎖している状態で、前記操作部材における前記付勢手段から遠い側の部位が押圧操作されたとき、前記係止部が前記付勢手段の付勢力により前記被係止部に係止され、前記球抜き孔の開放状態を維持するよう前記開閉板の位置が固定され、また、前記開閉板が前記球抜き孔を開放している状態で、前記操作部材における前記付勢手段に近い側の部位もしくは中央部が押圧操作されたとき、前記係止部が前記被係止部から離れて係止状態が解除され、前記開閉板により前記球抜き孔が閉鎖されることを特徴とする。
【０００８】
前記開閉板駆動機構は、前記操作部材に対する押圧操作の方向と直交する方向に前記開閉板を移動させる。
【０００９】
【発明の実施の形態】
以下、本発明の実施形態を図面に基づいて説明する。
【００１０】
図１は、一実施形態に係る下皿の球抜き孔開閉装置が組み込まれたパチンコ遊技機の概要正面図、図２は、下皿の分解斜視図、図３は、カバー体への操作部材の組み付けを説明するための分解斜視図及び組付後の斜視図、図４は、下皿本体部の分解図、図５は、操作部材に対する操作が行われていないときの球抜き孔開閉装置の状態を説明するための下皿本体部の裏面図、図６は、操作部材に対し所定の操作が行われたときの球抜き孔開閉装置の動作を説明するための下皿本体部の裏面図、図７は、上記所定操作の後、操作部材に対し他の所定の操作が行われたときの球抜き孔開閉装置の動作を説明するための下皿本体部の裏面図をそれぞれ示す。
【００１１】
本実施形態に係る下皿の球抜き孔開閉装置１は、図１に示すように、パチンコ遊技機１００の正面下部に配設される下皿２００に組み込まれるものである。
【００１２】
下皿２００は、図２に示すように、パチンコ遊技機１００の前面枠１０１に取り付けられるカバー体２０１と、このカバー体２０１の凹部２０１ａに裏面側から組み付けられる下皿本体部２０２と、カバー体２０１の凹部２０１ａの前壁２０１ｂに形成された操作部材取付孔部２の貫通孔３に裏面側から挿通される操作部材４とから構成される。
【００１３】
操作部材４は、図３（Ａ）、（Ｂ）に示すように、左右の幅が長く高さの低い扁平な押しボタン部５と、この押しボタン部５の下部後面の中央部から後方へ突出した押圧部６と、この押圧部６の下面の左端又は右端から下方へ垂設された前後方向の垂直板からなる係止部７とから構成される。
【００１４】
一方、カバー体２０１の操作部材取付孔部２は、図３（Ａ）、（Ｂ）に示すように、操作部材４の押しボタン部５が後方から挿通される貫通孔３と、この貫通孔３の下端から後方へ延設され、操作部材４を前後方向へ移動可能に下方から支持する操作部材受部８とから構成され、操作部材受部８には、操作部材４の係止部７を収容する切欠部９が形成され、この切欠部９に、係止部７を係止可能な段差部からなる被係止部１０が形成されている。係止部７は、切欠部９の被係止部１０側の側面と対面している。なお、操作部材４の押しボタン部５の後端部にはストッパ１１が突設されており、このストッパ１１がカバー体２０１の貫通孔３の周縁部と後面側で当接することによって、操作部材４が貫通孔３から前方へ抜け出ることが防止される。
【００１５】
下皿本体部２０２は、図４に示すように、皿部２０３を備え、この皿部２０３の裏面２０３ａに、開閉板１２、伝達歯車１３、揺動板１４、引張りコイルばね１５、二つのピン１６、１７及び固定板１８を組み付けて構成される。
【００１６】
皿部２０３の底部には、皿部２０３に貯められた遊技球を外部に排出するための円形状の球抜き孔２０３ｂが形成されている。皿部２０３の裏面２０３ａには、開閉板１２の前後方向への移動を規制しながら開閉板１２の左右方向への移動をガイドするための複数のガイド壁１９、２０、２１、２２が形成されている。また、皿部２０３の裏面２０３ａには、開閉板１２の左右方向の移動量を規制するためのストッパ２３が形成されている。さらに、皿部２０３の裏面２０３ａには、引張りコイルばね１５の一端部１５ａが引っ掛けられる係止突起２４、伝達歯車１３の回転軸となるピン１６を保持するピン受け孔２５、揺動板１４の回転軸となるピン１７を保持するピン受け孔２６、及び、固定板１８の複数の位置決め用係合部２７、２８、２９、３０にそれぞれ先端部が係合可能な複数の位置決め用係合突起３１、３２、３３、３４がそれぞれ形成されている。
【００１７】
開閉板１２は、皿部２０３の球抜き孔２０３ｂを開閉する円形状の蓋部１２ａを有し、この蓋部１２ａから長方形状の基部１２ｂが延設されている。基部１２ｂには、左右方向に伸びた長穴１２ｃが形成されており、この長穴１２ｃに皿部２０３のストッパ２３が収容され、長穴１２ｃの両端部１２ｄ、１２ｅが各々ストッパ２３と当接することによって開閉板１２の左右方向の移動量が規制される。また、基部１２ｂには、左右方向に伸びたラック１２ｆが形成されており、このラック１２ｆに伝達歯車１３の大径ギヤ１３ａが噛合され、伝達歯車１３が回転すると、ラック１２ｆが大径ギヤ１３ａと噛合しながら左右方向へ移動される。開閉板１２の蓋部１２ａは、長穴１２ｃの蓋部１２ａ側とは反対側に位置する端部１２ｄがストッパ２３と当接しているとき球抜き孔２０３ｂを閉鎖状態に維持するとともに、長穴１２ｃの蓋部１２ａ側の端部１２ｅがストッパ２３と当接しているとき球抜き孔２０３ｂを開放状態にする。
【００１８】
伝達歯車１３は、同心の大径ギヤ１３ａと小径ギヤ１３ｂとによって一体成形されている。大径ギヤ１３ａは、開閉板１２のラック１２ｆと噛合する。小径ギヤ１３ｂは、揺動板１４の部分歯車１４ａと噛合する。伝達歯車１３は、揺動板１４が回動すると小径ギヤ１３ｂが部分歯車１４ａと噛合しながら回転し、この小径ギヤ１３ｂの回転と同時に大径ギヤ１３ａがラック１２ｆと噛合しながら回転し、ラック１２ｆを左右方向へ移動させる。
【００１９】
揺動板１４は、外周面に部分歯車１４ａを有し、この部分歯車１４ａは伝達歯車１３の小径ギヤ１３ｂと噛合する。また、揺動板１４は、引張りコイルばね１５の他端部１５ｂが引っ掛けられる係止アーム１４ｂを有する。揺動板１４は、引張りコイルばね１５の付勢力を受け、部分歯車１４ａ、小径ギヤ１３ｂ、大径ギヤ１３ａ及びラック１２ｆを介して蓋部１２ａに球抜き孔２０３ｂを閉鎖させる方向の力を開閉板１２に対し常時作用する。さらに、揺動板１４は、カバー体２０１の貫通孔３に対向する部位に、操作部材４の押圧部６と当接する受圧面１４ｃを有し、この受圧面１４ｃが操作部材４の押圧部６から引張りコイルばね１５の付勢力に打ち勝つ押圧力を受けると、揺動板１４がピン１７を中心として回動する。
【００２０】
引張りコイルばね１５は、皿部２０３の裏面２０３ａの係止突起２４と揺動板１４の係止アーム１４ｂとの間に掛け渡され、揺動板１４を係止突起２４に向けて引張る。
【００２１】
一方のピン１６は、伝達歯車１３の軸孔１３ｃに挿入され、皿部２０３の裏面２０３ａのピン受け孔２５によって保持される。他方のピン１７は、揺動板１４の軸孔１４ｄに挿入され、皿部２０３の裏面２０３ａのピン受け孔２６によって保持される。
【００２２】
固定板１８は、皿部２０３側の面に複数の位置決め用係合部２７、２８、２９、３０が形成されている。固定板１８は、各位置決め用係合部２７、２８、２９、３０を皿部２０３の裏面２０３ａの位置決め用係合突起３１、３２、３３、３４の先端に係合し、各位置決め用係合部２７、２８、２９、３０の取付孔２７ａ、２８ａ、２９ａ、３０ａにねじ（図示せず。）を挿通して位置決め用係合突起３１、３２、３３、３４の取付孔３１ａ、３２ａ、３３ａ、３４ａにねじ込むことで皿部２０３に固着される。固定板１８が皿部２０３に固着されたとき、固定板１８は、固定板１８と皿部２０３との間に配設された開閉板１２、伝達歯車１３、揺動板１４、引張りコイルばね１５及び二つのピン１６、１７を各々の作動を妨げないで保持するよう構成されている。
【００２３】
次に、上記のように構成された下皿の球抜き孔開閉装置１の動作を説明する。
【００２４】
操作部材４に対し何ら操作が行われていないときには、図５に示すように、揺動板１４が引張りコイルばね１５の付勢力によって係止突起２４に向かう方向の回転力を受けているため、揺動板１４の部分歯車１４ａ、小径ギヤ１３ｂ、大径ギヤ１３ａ、ラック１２ｆを介して開閉板１２の基部１２ｂに対し球抜き孔２０３ｂの方向へ移動させる力が作用しているが、開閉板１２の移動はストッパ２３が開閉板１２の長穴１２ｃの端部１２ｄと当接していることによって規制され、このため、開閉板１２、伝達歯車１３及び揺動板１４は各々一定の姿勢に維持され、開閉板１２の蓋部１２ａは球抜き孔２０３ｂを閉鎖状態に保つ。また、揺動板１４の受圧面１４ｃが前進位置に維持されることから、操作部材４の押しボタン部５はカバー体２０１の貫通孔３から最大に突出した状態に保たれ、また、係止部７は、被係止部１０に係止しておらず切欠部９の内側に位置している。
【００２５】
図５に示す状態から、操作部材４に対し所定の操作、つまり、押しボタン部５の左部又は右部（本実施形態では図５に示す押しボタン部５の左部）を指で押す操作を行うと、押しボタン部５は引張りコイルばね１５の付勢力に抗して貫通孔３に深く侵入してゆく。このとき、操作部材４の係止部７は、操作部材受部８の切欠部９の側面に沿って摺動した後、図６に示すように、被係止部１０に係止する。上記所定の操作が開始されてから係止部７が被係止部１０に係止するまでの間、揺動板１４は、その受圧面１４ｃが操作部材４の押圧部６から押圧力を受けることによって、引張りコイルばね１５の付勢力に抗して係止突起２４から離れる方向へ回転し、この揺動板１４の回転により、部分歯車１４ａと噛合している小径ギヤ１３ｂが図５図示矢印ａ方向へ回転し、大径ギヤ１３ａ及びラック１２ｆを介して開閉板１２は図５図示矢印ｂ方向へ移動し、その蓋部１２ａは球抜き孔２０３ｂを徐々に開放してゆく。そして、係止部７が被係止部１０に係止するようになると、その後上記所定の操作を解除する、つまり、押しボタン部５から指を離しても、係止部７は引張りコイルばね１５の付勢力によって被係止部１０に係止した状態に保たれるため、図６に示すように、蓋部１２ａは球抜き孔２０３ｂを開放状態に保つようになる。なお、上記所定の操作の際、押しボタン部５が強く押されたことにより係止部７が被係止部１０をオーバーしても開閉板１２の長穴１２ｃの端部１２ｅがストッパ２３と当接することで開閉板１２の移動が規制されるようになり、上記所定の操作を解除したとき、係止部７は、引張りコイルばね１５の付勢力によって被係止部１０まで戻って係止し、係止状態を保つようになる。
【００２６】
その後、操作部材４に対し他の所定の操作、つまり、上記所定の操作が押しボタン部５の左部を押す操作であるのに対し押しボタン部５の右部もしくは中央部を瞬間的に押す操作を行うと、被係止部１０に係止していた係止部７が被係止部１０から離れて被係止部１０との係止状態が解除され、引張りコイルばね１５の付勢力によって揺動板１４は係止突起２４へ向かう方向へ回転し、部分歯車１４ａ、小径ギヤ１３ｂ、大径ギヤ１３ａ及びラック１２ｆを介して開閉板１２は図７図示矢印ｃ方向へ移動し、長穴１２ｃの端部１２ｄがストッパ２３と当接することによって蓋部１２ａは球抜き孔２０３ｂを閉鎖する。また、操作部材４は、上記他の所定の操作を行った後は、押圧部６が揺動板１４の受圧面１４ｃから押圧力を受け、その押しボタン部５は貫通孔３から最大に突出した状態つまり図５に示す初期状態に戻る。図７は、係止部７が被係止部１０との係止状態を解除されてから蓋部１２ａが球抜き孔２０３ｂを閉鎖するまでの途中における開閉板１２等の状態を示している。
【００２７】
一方、図５に示す状態から、操作部材４に対し通常の操作、つまり、押しボタン部５の右部もしくは中央部を押す操作を行うと、押しボタン部５は引張りコイルばね１５の付勢力に抗して貫通孔３に深く侵入してゆくが、係止部７は押しボタン部５に加わる押圧力の方向に基づいて被係止部１０から離れる方向もしくは直線方向に移動するため、係止部７は被係止部１０に係止しない。このため、開閉板１２は、押しボタン部５に加えられる操作量に応じた移動量だけ移動し、蓋部１２ａは球抜き孔２０３ｂの開度を連続的に変化させるようになる。そして、押しボタン部５への操作を解除する、つまり押しボタン部５から指を離すと、引張りコイルばね１５の付勢力により、蓋部１２ａは球抜き孔２０３ｂを閉鎖する元の状態に戻る。
【００２８】
以上説明したように、本実施形態に係る下皿の球抜き孔開閉装置１は、下皿２００の皿部２０３に形成された球抜き孔２０３ｂを開閉する開閉板１２と、開閉板１２に対し常に球抜き孔２０３ｂを閉鎖する方向の力を作用する付勢手段（引張りコイルばね１５）と、付勢手段１５の付勢力に抗して外部から操作される操作部材４と、操作部材４に連動する開閉板駆動機構（主に、揺動板１４、伝達歯車１３）であって、操作部材４に対する操作量に応じた移動量だけ開閉板１２を移動させる開閉板駆動機構と、操作部材４に対し所定の操作が行われたときのみ作動するロック手段（係止部７、被係止部１０）であって、球抜き孔２０３ｂの開放状態を維持するよう開閉板１２の位置を固定するロック手段７、１０とを備え、ロック手段７、１０は、操作部材４に対する所定操作が終了した後、操作部材４に対し他の所定の操作が行われたとき、開閉板１２の位置の固定を解除する。
【００２９】
このため、本実施形態によると、遊技者によって、球抜き孔２０３ｂの開度を連続的に変化できるタイプと、球抜き孔２０３ｂを開放状態に維持するタイプのいずれかのタイプを選択することができるようになる。
【００３０】
また、ロック手段７、１０は、操作部材４に設けられた係止部７と下皿２００のカバー体２０１に設けられた被係止部１０とによって構成され、係止部７が被係止部１０に係止されることによって、球抜き孔２０３ｂの開放状態を維持するよう開閉板１２の位置が固定されるため、きわめて簡単な構成によってロック手段を構成することができる。
【００３１】
また、係止部７は付勢手段１５の付勢力を受けて被係止部１０に係止されるため、開閉板１２に対し球抜き孔２０３ｂを閉鎖状態に保つ付勢力を及ぼす付勢手段１５に、係止部７を被係止部１０に係止させる手段も兼用させることができる。
【００３２】
【発明の効果】
本発明によると、遊技者によって、球抜き孔の開度を連続的に変化できるタイプと、球抜き孔を開放状態に維持するタイプのいずれかのタイプを選択することができるようになる。
【図面の簡単な説明】
【図１】本発明の一実施形態に係る下皿の球抜き孔開閉装置が組み込まれたパチンコ遊技機の概要正面図である。
【図２】下皿の分解斜視図である。
【図３】カバー体への操作部材の組み付けを説明するための分解斜視図及び組付後の斜視図である。
【図４】下皿本体部の分解図である。
【図５】操作部材に対する操作が行われていないときの球抜き孔開閉装置の状態を説明するための下皿本体部の裏面図である。
【図６】操作部材に対し所定の操作が行われたときの球抜き孔開閉装置の動作を説明するための下皿本体部の裏面図である。
【図７】上記所定操作の後、操作部材に対し他の所定の操作が行われたときの球抜き孔開閉装置の動作を説明するための下皿本体部の裏面図である。
【符号の説明】
１    球抜き孔開閉装置
４    操作部材
７    係止部（ロック手段）
１０    被係止部（ロック手段）
１２    開閉板
１３    伝達歯車（開閉板駆動機構）
１４    揺動板（開閉板駆動機構）
１５    引張りコイルばね（付勢手段）
２００    下皿
２０１    カバー体
２０３    皿部
２０３ｂ    球抜き孔
【図１】
0003777501.tif 000002
【図２】
0003777501.tif 000003
【図３】
0003777501.tif 000004
【図４】
0003777501.tif 000005
【図５】
0003777501.tif 000006
【図６】
0003777501.tif 000007
【図７】
0003777501.tif 000008